(57)【要約】【課題】相互に異なる規格を有するＬＣＤディスプレイ部の交換が可能なコンピュータシステムを提供する。【解決手段】背面に本体ハウジング装着部１４を有するＬＣＤディスプレイ部１０と，メインボード５０を収容し，ＬＣＤディスプレイ部１０の本体ハウジング装着部１４に分離可能に結合される本体ハウジング３０と，を含み；共通の本体ハウジング装着部１４を有し，規格（画面サイズなど）の異なる複数のＬＣＤディスプレイ部１０ａ，１０ｂが本体ハウジング３０に交換可能に結合されることを特徴とする，コンピュータシステム１。【選択図】　図３
2004038920.tif 000002
【特許請求の範囲】
【請求項１】
背面に本体ハウジング装着部を有するＬＣＤディスプレイ部と，
メインボードを収容し，前記ＬＣＤディスプレイ部の本体ハウジング装着部に分離可能に結合される本体ハウジングと，を含み；
共通の本体ハウジング装着部を有し，規格の異なる複数のＬＣＤディスプレイ部が前記本体ハウジングに交換可能に結合されることを特徴とする，コンピュータシステム。
【請求項２】
前記ＬＣＤディスプレイ部は，メインボードの装着のために共通のメインボード装着部をさらに含むことを特徴とする，請求項１に記載のコンピュータシステム。
【請求項３】
前記本体ハウジング装着部は，１または複数のねじ締結部を有し，前記本体ハウジングは，前記ねじ締結部に対応する１または複数のねじ孔を有することを特徴とする，請求項１または２のいずれか１項に記載のコンピュータシステム。
【請求項４】
前記ＬＣＤディスプレイ部の背面には，１または複数のフック挿入口が形成されており，前記本体ハウジングは，前記各フック挿入口に係止される１または複数のフック部をさらに含むことを特徴とする，請求項１，２，または３のうちのいずれか１項に記載のコンピュータシステム。
【請求項５】
前記ＬＣＤディスプレイ部は，
画像が表示されるＬＣＤパネルと；
前記ＬＣＤパネルに画像信号を伝達するＰＣＢ組立体と；
前記ＬＣＤパネルを支持し，板面に前記ねじ締結部が設けられた支持部材と；
前記ＬＣＤパネルの前方に配置されて，前記ＬＣＤパネルの前方縁部を遮断する前方ケーシングと；
前記前方ケーシングの背後に結合されて，前記前方ケーシングとの間に収容空間を形成する後方ケーシングと；
を含むことを特徴とする，請求項１，２，３，または４のうちのいずれか１項に記載のコンピュータシステム。
【請求項６】
前記フック挿入口は，前記後方ケーシングに形成されることを特徴とする，請求項４または５のいずれか１項に記載のコンピュータシステム。
【請求項７】
相互異なる規格を有し，相互同一配置の本体ハウジング装着部を有する複数のＬＣＤディスプレイ部と；
前記複数のＬＣＤディスプレイ部のうちのいずれの一つと選択的に結合できるように，前記本体ハウジング装着部に対応するディスプレイ装着部を有する本体ハウジングと；
を含むことを特徴とする，コンピュータシステム。
【請求項８】
前記複数のＬＣＤディスプレイ部は，メインボードの装着のための相互同一配置のメインボード装着部をさらに含むことを特徴とする，請求項７に記載のコンピュータシステム。
【請求項９】
前記本体ハウジング装着部は，１または複数のねじ締結部を有し，前記ディスプレイ装着部は，前記ねじ締結部に対応する１または複数のねじ孔を有することを特徴とする，請求項７または８のいずれか１項に記載のコンピュータシステム。
【請求項１０】
前記本体ハウジング装着部は，１または複数のフック挿入口をさらに含み，前記ディスプレイ装着部は，前記ＬＣＤディスプレイ部に向かって突出されて，前記各フック挿入口と係止される１または複数のフック部をさらに含むことを特徴とする，請求項７，８，または９のうちのいずれか１項に記載のコンピュータシステム。
【請求項１１】
前記ＬＣＤディスプレイ部は，
画像を表示するＬＣＤパネルと；
前記ＬＣＤパネルに画像信号を伝達するＰＣＢ組立体と；
前記ＬＣＤパネルを支持し，前記ねじ締結部が設けられた支持部材と；
前記ＬＣＤパネルの前方に配置されて，前記ＬＣＤパネルの前方縁部を遮断する前方ケーシングと；
前記前方ケーシングの背後に結合されて，前記前方ケーシングとの間に収容空間を形成する後方ケーシングと；
を含むことを特徴とする，請求項７，８，９，または１０のうちのいずれの１項に記載のコンピュータシステム。
【請求項１２】
相互異なる規格を有する複数のＬＣＤディスプレイ部の背面に，相互に同一配置の本体ハウジング装着部を設ける段階と；
前記複数のＬＣＤディスプレイ部のうちのいずれか一つと選択的に結合可能に，本体ハウジングに前記本体ハウジング装着部と結合可能にディスプレイ装着部を設ける段階と；
を含むことを特徴とする，コンピュータシステムの製造方法。
【発明の詳細な説明】
【０００１】
【発明の属する技術分野】
本発明は，コンピュータシステムに係り，より詳細には，相互に異なる規格のＬＣＤディスプレイ部が交換できるコンピュータシステムに関する。
【０００２】
【従来の技術】
一般にコンピュータは，中央演算処理装置（ＣＰＵ）が設けられたメインボードを始めとして，ハードディスクドライブ，グラフィックカード，フロッピィディスクドライブ，及びコンパクトディスクドライブ等の多くのハードウェアが形成されたコンピュータ本体と，コンピュータ本体から画像信号が伝達されて画像を出力するモニタと，コンピュータ本体に所定の信号を入力するためのキーボードやマウス等の入力装置等を含む。
【０００３】
このようなコンピュータは，通常，携帯用コンピュータやデスクトップコンピュータとして多用されている。携帯用コンピュータは，液晶を利用したスリムタイプのＬＣＤ（Ｌｉｑｕｉｄ　Ｃｒｙｓｔａｌ　Ｄｉｓｐｌａｙ）モニタ（以下，”ＬＣＤディスプレイ部”という）を採用して，ユーザーが携帯することができる小型軽量のコンピュータをいう。デスクトップコンピュータは，机上に設置して使用することができるコンピュータをいう。
【０００４】
デスクトップコンピュータは机上に設置されるので，相対的に広い設置空間が必要であるという短所がある。最近，ＬＣＤディスプレイ部の大衆化により従来のＣＲＴディスプレイ部より設置空間は多少縮小されたが，コンピュータ本体及びモニタを設置する空間を確保しなければならないという問題は依然として残っている。
【０００５】
従って，デスクトップコンピュータの設置空間を縮小させるため，ＬＣＤディスプレイ部とコンピュータ本体とが一体に構成されたコンピュータが提案された。
【０００６】
従来の一体型コンピュータ１００は，図４に示すように，内部に所定の収容空間を形成するように前後方に結合される前方カバー１１０及び本体ハウジング１３０と，画像が表示されるＬＣＤパネル（図示せず）及びＬＣＤパネルに画像信号を伝達するＰＣＢ組立体（図示せず）を含むＬＣＤディスプレイ部と，コンピュータを駆動するメインボード（図示せず）とを有する。
【０００７】
前方カバー１１０は，ＬＣＤパネルの前方に配置され，ＬＣＤパネルが外部に露出されるように板面に表示窓が形成されて，ＬＣＤパネルの前方縁部を遮断する。本体ハウジング１３０は，メインボードが収容されるように所定の収容空間が形成されている。
【０００８】
ＰＣＢ組立体は，メインボードから伝達される電気的な信号を画像信号に切換えてＬＣＤパネルに伝達し，メインボードは，中央演算処理装置を始めとしてグラフィックカード，サウンドカード等を備え，電源供給部（図示せず）から印加された電源によりコンピュータを駆動させる。
【０００９】
上述した従来の一体型コンピュータ１００の組立過程は，まず，本体ハウジング１３０の収容空間にメインボードが収容されて，ねじ（図示せず）等により固定される。次に，それぞれのハードウェアを，また，メインボードとＬＣＤディスプレイとを電気的に連結する。次いで，前方カバー１１０と本体ハウジング１３０とをねじ１５０により締結することにより，一体型コンピュータ１００の組立が完了される。
【００１０】
【特許文献１】
米国特許第６００２５８２号公報
【特許文献２】
韓国特許第１０−０２４６８５５号公報
【特許文献３】
特開平１０−０６９３２８号公報
【特許文献４】
特開平１２−０４７７５４号公報
【特許文献５】
特開平１３−０７５８１５号公報
【特許文献６】
特開平１３−０９２５６１号公報
【００１１】
【発明が解決しようとする課題】
ところが，従来のコンピュータシステムにおいては，ＬＣＤディスプレイ部とメインボードとが前方カバー１１０及び本体ハウジング１３０内に収容されて，前方カバー１１０と本体ハウジング１３０とをねじ１５０により一体に締結する。このことにより，一体型コンピュータ１００の故障時に修理が容易でない。特に，異なる規格（画像サイズ，解像度，画質等）のＬＣＤディスプレイ部を交換することができないという問題がある。
【００１２】
本発明の目的は，上述した問題点を解決するため，ＬＣＤディスプレイ部の分離が容易であり，異なる規格のＬＣＤディスプレイ部に交換が容易なコンピュータシステムを提供することにある。
【００１３】
【課題を解決するための手段】
上記課題を解決するため，本発明の主たる観点によれば，背面に本体ハウジング装着部を有するＬＣＤディスプレイ部と，メインボードを収容し，ＬＣＤディスプレイ部の本体ハウジング装着部に分離可能に結合される本体ハウジングとを含み；共通の本体ハウジング装着部を有し，画面サイズなどの規格の異なる複数のＬＣＤディスプレイ部が本体ハウジングに交換可能に結合されることを特徴とするコンピュータシステムが提供される。
【００１４】
ＬＣＤディスプレイ部は，メインボードの装着のための相互同じメインボード装着部をさらに含むことが好ましい。
【００１５】
本体ハウジング装着部は，１または複数のねじ締結部を有し，本体ハウジングは，このねじ締結部に対応する１または複数のねじ孔を有することが好ましい。
【００１６】
ＬＣＤディスプレイ部の背面には，１または複数のフック挿入口が形成され，本体ハウジングは，このフック挿入口に係止される１または複数のフック部をさらに含むことが好ましい。
【００１７】
ＬＣＤディスプレイ部は，画像が表示されるＬＣＤパネルと；ＬＣＤパネルに画像信号を伝達するＰＣＢ組立体と；ＬＣＤパネルを支持し，板面にねじ締結部が設けられた支持部材と；ＬＣＤパネルの前方に配置されて，ＬＣＤパネルの前方縁部を遮断する前方ケーシングと；前方ケーシングの背後に結合されて，前方ケーシングとの間に収容空間を形成する後方ケーシングと；を含むことが好ましい。
【００１８】
フック挿入口は，後方ケーシングに形成されることが好ましい。
【００１９】
また，上記課題を解決するため，本発明の他の観点によれば，相互異なる規格を有し，相互同一配置の本体ハウジング装着部を有する複数のＬＣＤディスプレイ部と；複数のＬＣＤディスプレイ部のうちのいずれか一つと選択的に結合できるように，本体ハウジング装着部に対応するディスプレイ装着部を有する本体ハウジングと；を含むことを特徴とするコンピュータシステムが提供される。
【００２０】
複数のＬＣＤディスプレイ部は，メインボードの装着のための相互同一配置のメインボード装着部をさらに含むことが好ましい。
【００２１】
本体ハウジング装着部は，１または複数のねじ締結部を有し，ディスプレイ装着部は，このねじ締結部に対応する１または複数のねじ孔を有することが好ましい。
【００２２】
本体ハウジング装着部は，１または複数のフック挿入口をさらに含み，ディスプレイ装着部は，ＬＣＤディスプレイ部に向かって突出されて，フック挿入口に係止される１または複数のフック部をさらに含むことが好ましい。
【００２３】
ＬＣＤディスプレイ部は，画像を表示するＬＣＤパネルと；ＬＣＤパネルに画像信号を伝達するＰＣＢ組立体と；ＬＣＤパネルを支持し，ねじ締結部が設けられた支持部材と；ＬＣＤパネルの前方に配置されて，ＬＣＤパネルの前方縁部を遮断する前方ケーシングと；前方ケーシングの背後に結合されて，前方ケーシングとの間に収容空間を形成する後方ケーシングと；を含むことが好ましい。
【００２４】
また，上記課題を解決するため，本発明の他の観点によれば，相互異なる規格を有する複数のＬＣＤディスプレイ部の背面に，相互に同一配置の本体ハウジング装着部を設ける段階と；複数のＬＣＤディスプレイ部のうちのいずれか一つと選択的に結合可能に，本体ハウジングに本体ハウジング装着部と結合可能にディスプレイ装着部を設ける段階と；を含むことを特徴とするコンピュータシステムの製造方法が提供される。
【００２５】
【発明の実施の形態】
以下に，添付した図面を参照して，本発明を実施の形態により詳細に説明する。異なる画像サイズの複数のＬＣＤディスプレイ部は，画像サイズが相対的に小さいものを第１ＬＣＤディスプレイ部とし，相対的に大きいものを第２ＬＣＤディスプレイ部とし，これら二つのＬＣＤディスプレイ部を有するコンピュータシステムを実施の形態として説明する。
【００２６】
図１及び図２は，本実施の形態によるコンピュータシステムの斜視図であり，図３は，本実施の形態によるコンピュータシステムの分解斜視図である。図面に示すように，コンピュータシステム１は，相互に同一形態の本体ハウジング装着部１４を有する第１ＬＣＤディスプレイ部１０ａ及び第２ＬＣＤディスプレイ部１０ｂと，メインボード５０を収容して，第１ＬＣＤディスプレイ部１０ａ及び第２ＬＣＤディスプレイ部１０ｂのうちのいずれか一つの本体ハウジング装着部１４に選択的に装着される本体ハウジング３０と，を含む。
【００２７】
第１ＬＣＤディスプレイ部１０ａ及び第２ＬＣＤディスプレイ部１０ｂは，それぞれ画像を表示するＬＣＤパネル（図示せず）と，ＬＣＤパネルに画像信号を伝達するＰＣＢ組立体（図示せず）と，ＬＣＤパネルの前方縁部を遮断する前方ケーシング１２ａ，１２ｂと，前方ケーシング１２ａ，１２ｂの背後に結合されて，前方ケーシング１２ａ，１２ｂとの間に収容空間を形成する後方ケーシング１３ａ，１３ｂと，を有する。
【００２８】
ＬＣＤパネルは，ＰＣＢ組立体により一定の電圧が印加されれば，液晶分子の向きが変わって，光が透過できないようにすることにより画像が表示される。一般に，対角線の長さによりＬＣＤディスプレイ部１０ａ，１０ｂの規格が定まる。
【００２９】
ＰＣＢ組立体は，ＬＣＤパネルの後方に配置され，後述するメインボード５０から伝達される電気的な信号を画像信号に切換えてＬＣＤパネルに伝達する。そして，インバータボード（Ｉｎｖｅｒｔｅｒ　Ｂｏａｒｄ），スケーラボード（Ｓｃａｌｅｒ　Ｂｏａｒｄ），及びオンスクリーンディスプレイボード（Ｏｎ　Ｓｃｒｅｅｎ　Ｄｉｓｐｌａｙ　Ｂｏａｒｄ）等を有する。ここで，ＰＣＢ組立体は，各ＬＣＤディスプレイ部１０ａ，１０ｂの規格に応じて異なる構成を有するので，第１ＬＣＤディスプレイ部１０ａと第２ＬＣＤディスプレイ部１０ｂとは，それぞれ別途のＰＣＢ組立体を備える。支持部材１７ａ，１７ｂは，ＬＣＤパネル及びＰＣＢ組立体の後方に配置されて，ＬＣＤパネルを支持するとともにＰＣＢ組立体を収容支持する。
【００３０】
前方ケーシング１２ａ，１２ｂは，ＬＣＤパネルが外部に露出されるように，板面に表示窓（図示せず）が形成されており，ＬＣＤパネルの前方縁部面を接触支持する。前方ケーシング１２ａ，１２ｂは，後方ケーシング１３ａ，１３ｂと内部に収容空間が形成されるようにボルト７１等により結合される。
【００３１】
第１ＬＣＤディスプレイ部１０ａ及び第２ＬＣＤディスプレイ部１０ｂの背面の一領域には，相互に同一形態の本体ハウジング装着部１４が設けられて，本体ハウジング３０に選択的に装着される。ここで，本体ハウジング装着部１４は，１または複数のねじ締結部からなる。本体ハウジング３０には，ねじ締結部に対応する位置にねじ孔３４が設けられて，本体ハウジング３０に第１ＬＣＤディスプレイ部１０ａまたは第２ＬＣＤディスプレイ部１０ｂが第１ねじ７２により選択的に装着されることができる。
【００３２】
第１ＬＣＤディスプレイ部１０ａ及び第２ＬＣＤディスプレイ部１０ｂの各ねじ締結部は，支持部材１７ａ，１７ｂの縁部から本体ハウジング３０に向かって突出される。板面には，ねじ締結孔１４ａが設けられている。本体ハウジング３０のねじ孔３４は，ねじ締結孔１４ａに対応する位置の外面にねじ締結部が収容される陥没部３３に設けられる。これにより，第１ＬＣＤディスプレイ部１０ａ及び第２ＬＣＤディスプレイ部１０ｂを本体ハウジング３０に装着するとき，ねじ締結部１４が陥没部３３に挿入される。そして，各第１ＬＣＤディスプレイ部１０ａ及び第２ＬＣＤディスプレイ部１０ｂの装着時に，第１ＬＣＤディスプレイ部１０ａ及び第２ＬＣＤディスプレイ部１０ｂが装着位置から離脱されることを防止することができる。また，複数のねじ締結部が第１ＬＣＤディスプレイ部１０ａ及び第２ＬＣＤディスプレイ部１０ｂの背面両側に配置されることは，各第１ＬＣＤディスプレイ部１０ａ及び第２ＬＣＤディスプレイ部１０ｂの荷重を支持するのに効果的である。
【００３３】
各第１ＬＣＤディスプレイ部１０ａ及び第２ＬＣＤディスプレイ部１０ｂの支持部材１７ａ，１７ｂの上部には，相互に同一配置を有する１または複数のフック挿入口３５がそれぞれ設けられる。本体ハウジング３０には，フック挿入口３５に係止するフック部１５がそれぞれ形成される。これにより，第１ＬＣＤディスプレイ部１０ａ及び第２ＬＣＤディスプレイ部１０ｂの正確な装着位置を案内する。図３では、フック部１５が本体ハウジング３０の上部に設けられた状態について示しているが，フック部１５を本体ハウジング３０の両側に設け，フック挿入口３５を第１ＬＣＤディスプレイ部１０ａ及び第２ＬＣＤディスプレイ部１０ｂの背面の対応する位置に設けることもできる。
【００３４】
各第１ＬＣＤディスプレイ部１０ａ及び第２ＬＣＤディスプレイ部１０ｂには，メインボード５０の装着のための相互に同一配置のメインボード装着部が設けられる。メインボード装着部は，支持部材１７ａ，１７ｂの板面に相互に同一配置のねじ挿入孔１６からなる。メインボード５０の板面に設けられたねじ通過孔５６を通過した第２ねじ７３により，メインボード５０が第１ＬＣＤディスプレイ部１０ａ及び第２ＬＣＤディスプレイ部１０ｂの背面に装着される。これにより，第１ＬＣＤディスプレイ部１０ａ及び第２ＬＣＤディスプレイ部１０ｂの交換時，別途のメインボードを備えなくても使用中のメインボードを再使用することができる。
【００３５】
上述した実施形態では，各第１ＬＣＤディスプレイ部１０ａ及び第２ＬＣＤディスプレイ部１０ｂが１または複数のねじにより本体ハウジング３０に装着されるが，各第１ＬＣＤディスプレイ部１０ａ及び第２ＬＣＤディスプレイ部１０ｂに設けられた本体ハウジング装着部１４にフック等の係止部を設けて，本体ハウジング３０に装着することもできる。
【００３６】
このように，相互に異なる画像サイズの第１ＬＣＤディスプレイ部１０ａ及び第２ＬＣＤディスプレイ部１０ｂに，相互に同一形態の本体ハウジング装着部１４を設けることにより，第１ＬＣＤディスプレイ部１０ａ及び第２ＬＣＤディスプレイ部１０ｂと本体ハウジング３０との分離が容易である。本体ハウジング３０に相互に異なる画像サイズの第１ＬＣＤディスプレイ部１０ａ及び第２ＬＣＤディスプレイ部１０ｂを選択的に装着することができるので，第１ＬＣＤディスプレイ部１０ａから第２ＬＣＤディスプレイ部１０ｂへアップグレードすることができる。
【００３７】
以上，本発明に係るコンピュータシステムの好適な実施の形態について説明したが，本発明はかかる構成に限定されない。いわゆる当業者であれば，特許請求の範囲に記載された技術的思想の範疇内において，各種の修正例および変更例を想定し得るものであり，それらの修正例および変更例についても本発明の技術的範囲に包含されるものと了解される。
【００３８】
【発明の効果】
上述したように，本発明によると，相互に異なる規格（例えば，画像サイズ，解像度，画質など）を有するＬＣＤディスプレイ部の交換が可能なコンピュータシステムが提供できた。
【図面の簡単な説明】
【図１】本実施形態による第１ＬＣＤディスプレイ部が装着されたコンピュータシステムの後方斜視図である。
【図２】本実施形態による第２ＬＣＤディスプレイ部が装着されたコンピュータシステムの後方斜視図である。
【図３】本実施形態によるコンピュータシステムの分解斜視図である。
【図４】従来の一体型コンピュータの後方斜視図である。
【符号の説明】
１　　コンピュータシステム
１０ａ，１０ｂ　　ＬＣＤディスプレイ部
１２ａ，１２ｂ　　前方ケーシング
１３ａ，１３ｂ　　後方ケーシング
１４　　本体ハウジング装着部
１５　　フック部
１６　　ねじ挿入孔
１７ａ，１７ｂ　　支持部材
３０　　本体ハウジング
３３　　陥没部
３４　　ねじ孔
３５　　フック挿入口
５０　　メインボード
５６　　ねじ通過孔
７１　　ボルト
７２　　第１ねじ
７３　　第２ねじ
【図１】
2004038920.tif 000003
【図２】
2004038920.tif 000004
【図３】
2004038920.tif 000005
【図４】
2004038920.tif 000006